(57)【要約】【課題】スケジュールの確認に時間をかけることなくフェードの変化を十分確認できる照明システムの制御方法、プログラム、及び照明制御システムを提供する。【解決手段】照明システムの制御方法は、再現ステップを備えている。再現ステップでは、複数のシーンと少なくとも１つのフェードとをスケジュールに応じて切り替える照明制御を再現する。複数のシーンでは、照明システムに含まれる１乃至複数の照明器具２を予め設定された調光率で点灯させる。少なくとも１つのフェードでは、複数のシーンのうち時系列で隣り合う２つのシーン間をつなぎ、１乃至複数の照明器具２の調光率を変化させる。また、再現ステップでは、少なくとも１つのフェードの再現速度が複数のシーンの再現速度よりも遅くなるように、少なくとも１つのフェードの再現速度と複数のシーンの再現速度との少なくとも一方を制御している。【選択図】図１
2017111877.tif 000002
【特許請求の範囲】
【請求項１】
照明システムに含まれる１乃至複数の照明器具を予め設定された調光率で点灯させる複数のシーンと、前記複数のシーンのうち時系列で隣り合う２つのシーン間をつなぎ前記調光率を変化させる少なくとも１つのフェードとを、スケジュールに応じて切り替える照明制御を再現する再現ステップを備え、
前記再現ステップにおいて、前記少なくとも１つのフェードの再現速度が前記複数のシーンの再現速度よりも遅くなるように、前記少なくとも１つのフェードの再現速度と前記複数のシーンの再現速度との少なくとも一方を制御していることを特徴とする照明システムの制御方法。
【請求項２】
照明システムに含まれる１乃至複数の照明器具を予め設定された調光率および調色値で点灯させる複数のシーンと、前記複数のシーンのうち時系列で隣り合う２つのシーン間をつなぎ前記調光率および前記調色値のうち少なくとも一方を変化させる少なくとも１つのフェードとを、スケジュールに応じて切り替える照明制御を再現する再現ステップを備え、
前記再現ステップにおいて、前記少なくとも１つのフェードの再現速度が前記複数のシーンの再現速度よりも遅くなるように、前記少なくとも１つのフェードの再現速度と前記複数のシーンの再現速度との少なくとも一方を制御していることを特徴とする照明システムの制御方法。
【請求項３】
前記再現ステップにおいて、前記複数のシーンの再現速度が、実際の前記照明制御における前記複数のシーンの進行速度よりも速くなっていることを特徴とする請求項１または２記載の照明システムの制御方法。
【請求項４】
前記再現ステップにおいて、前記少なくとも１つのフェードの再現速度が、実際の前記照明制御における前記少なくとも１つのフェードの進行速度以上であることを特徴とする請求項１〜３のいずれか１項に記載の照明システムの制御方法。
【請求項５】
前記再現ステップにおいて、前記少なくとも１つのフェードの再現速度が、実際の前記照明制御における前記少なくとも１つのフェードの進行速度よりも速くなっていることを特徴とする請求項４記載の照明システムの制御方法。
【請求項６】
前記再現ステップにおいて、所定期間における前記複数のシーン及び前記少なくとも１つのフェードを再現するのに要する時間が、前記所定期間における実際の前記照明制御に要する時間よりも短くなっていることを特徴とする請求項１〜３のいずれか１項に記載の照明システムの制御方法。
【請求項７】
前記再現ステップにおいて前記１乃至複数の照明器具からの光が照射される照明領域の画像を撮像する撮像ステップをさらに備えていることを特徴とする請求項１〜６のいずれか１項に記載の照明システムの制御方法。
【請求項８】
前記撮像ステップで撮像された前記画像と、前記複数のシーンに関する制御情報、及び前記少なくとも１つのフェードに関する制御情報とを関連付ける関連付けステップをさらに備えていることを特徴とする請求項７記載の照明システムの制御方法。
【請求項９】
前記撮像ステップで撮像された前記画像を表示装置に表示する表示ステップをさらに備えていることを特徴とする請求項７または８記載の照明システムの制御方法。
【請求項１０】
請求項１〜９のいずれか１項に記載の照明システムの制御方法をコンピュータに実行させるためのプログラム。
【請求項１１】
照明システムに含まれる１乃至複数の照明器具を予め設定された調光率で点灯させる複数のシーンと、前記複数のシーンのうち時系列で隣り合う２つのシーン間をつなぎ前記調光率を変化させる少なくとも１つのフェードとを、スケジュールに応じて切り替える照明制御を再現する再現部を備え、
前記再現部は、前記少なくとも１つのフェードの再現速度が前記複数のシーンの再現速度よりも遅くなるように、前記少なくとも１つのフェードの再現速度と前記複数のシーンの再現速度との少なくとも一方を制御するように構成されていることを特徴とする照明制御システム。
【請求項１２】
照明システムに含まれる１乃至複数の照明器具を予め設定された調光率および調色値で点灯させる複数のシーンと、前記複数のシーンのうち時系列で隣り合う２つのシーン間をつなぎ前記調光率および前記調色値のうち少なくとも一方を変化させる少なくとも１つのフェードとを、スケジュールに応じて切り替える照明制御を再現する再現部を備え、
前記再現部は、前記少なくとも１つのフェードの再現速度が前記複数のシーンの再現速度よりも遅くなるように、前記少なくとも１つのフェードの再現速度と前記複数のシーンの再現速度との少なくとも一方を制御するように構成されていることを特徴とする照明制御システム。
【発明の詳細な説明】
【技術分野】
【０００１】
本発明は、照明システムの制御方法、プログラム、及び照明制御システムに関する。
【背景技術】
【０００２】
従来、複数の照明器具の調光状態を組み合わせたシーンの再生を、予め設定されたスケジュールに応じて切り替える照明スケジュール制御システムが知られている（例えば特許文献１参照）。特許文献１記載の照明スケジュール制御システムは、複数の照明器具と、制御装置と、表示装置とを備えている。
【０００３】
制御装置は、各照明器具に接続され、各照明器具の点灯・消灯及び照度を統括して制御する。表示装置は、制御装置に接続され、複数の照明器具についてのスケジュールを画面上にグラフ化して表示する。スケジュールには、複数の照明器具を一定の照度で点灯させるシーンと、複数の照明器具の照度を漸増、漸減させるフェードとが含まれている。
【０００４】
特許文献１記載の照明スケジュール制御システムでは、表示装置の画面上に表示されたスケジュールの中からシーン又はフェードを選択することで、選択したシーン又はフェードのみを再生することができる。
【先行技術文献】
【特許文献】
【０００５】
【特許文献１】特開２００８−１３５２２８号公報
【発明の概要】
【発明が解決しようとする課題】
【０００６】
上述の特許文献１記載の照明スケジュール制御システムでは、スケジュールを確認する際に、スケジュールに含まれる全てのシーン及びフェードを時系列で再生することになるため、スケジュールの確認に時間がかかってしまう。そのため、スケジュールの確認に時間をかけることなくフェードの変化を十分確認することができるシステムが望まれていた。
【０００７】
本発明は上記課題に鑑みてなされており、スケジュールの確認に時間をかけることなくフェードの変化を十分確認することができる照明システムの制御方法、プログラム、及び照明制御システムを提供することを目的とする。
【課題を解決するための手段】
【０００８】
本発明の照明システムの制御方法は、照明システムに含まれる１乃至複数の照明器具を予め設定された調光率で点灯させる複数のシーンと、前記複数のシーンのうち時系列で隣り合う２つのシーン間をつなぎ前記調光率を変化させる少なくとも１つのフェードとを、スケジュールに応じて切り替える照明制御を再現する再現ステップを備え、前記再現ステップにおいて、前記少なくとも１つのフェードの再現速度が前記複数のシーンの再現速度よりも遅くなるように、前記少なくとも１つのフェードの再現速度と前記複数のシーンの再現速度との少なくとも一方を制御していることを特徴とする。
【０００９】
また、本発明の照明システムの制御方法は、照明システムに含まれる１乃至複数の照明器具を予め設定された調光率および調色値で点灯させる複数のシーンと、前記複数のシーンのうち時系列で隣り合う２つのシーン間をつなぎ前記調光率および前記調色値のうち少なくとも一方を変化させる少なくとも１つのフェードとを、スケジュールに応じて切り替える照明制御を再現する再現ステップを備え、前記再現ステップにおいて、前記少なくとも１つのフェードの再現速度が前記複数のシーンの再現速度よりも遅くなるように、前記少なくとも１つのフェードの再現速度と前記複数のシーンの再現速度との少なくとも一方を制御していることを特徴とする。
【００１０】
本発明のプログラムは、上記の照明システムの制御方法をコンピュータに実現させる。
【００１１】
本発明の照明制御システムは、照明システムに含まれる１乃至複数の照明器具を予め設定された調光率で点灯させる複数のシーンと、前記複数のシーンのうち時系列で隣り合う２つのシーン間をつなぎ前記調光率を変化させる少なくとも１つのフェードとを、スケジュールに応じて切り替える照明制御を再現する再現部を備え、前記再現部は、前記少なくとも１つのフェードの再現速度が前記複数のシーンの再現速度よりも遅くなるように、前記少なくとも１つのフェードの再現速度と前記複数のシーンの再現速度との少なくとも一方を制御するように構成されていることを特徴とする。
【００１２】
また、本発明の照明制御システムは、照明システムに含まれる１乃至複数の照明器具を予め設定された調光率および調色値で点灯させる複数のシーンと、前記複数のシーンのうち時系列で隣り合う２つのシーン間をつなぎ前記調光率および前記調色値のうち少なくとも一方を変化させる少なくとも１つのフェードとを、スケジュールに応じて切り替える照明制御を再現する再現部を備え、前記再現部は、前記少なくとも１つのフェードの再現速度が前記複数のシーンの再現速度よりも遅くなるように、前記少なくとも１つのフェードの再現速度と前記複数のシーンの再現速度との少なくとも一方を制御するように構成されていることを特徴とする。
【発明の効果】
【００１３】
本発明は、スケジュールの確認に時間をかけることなくフェードの変化を十分確認することができる、という効果がある。
【図面の簡単な説明】
【００１４】
【図１】図１Ａは実施形態１の照明制御システムの概略構成図である。図１Ｂは実施形態１の照明制御システムに用いられるコントローラの概略ブロック図である。
【図２】実施形態１の照明制御システムに用いられるコントローラに表示させた画像の概略図である。
【図３】実施形態１の照明制御システムに用いられるコントローラに表示させた別の画像の概略図である。
【図４】図４Ａは実施形態１の照明制御システムに用いられるコントローラに表示させる画像の構造を示す概略図である。図４Ｂは実施形態１の照明制御システムに用いられるコントローラに表示させる別の画像の構造を示す概略図である。
【図５】図５Ａは実施形態１の照明制御システムにおける通常モードのタイムチャートである。図５Ｂは実施形態１の照明制御システムにおける再現モードのタイムチャートである。
【図６】図６Ａは実施形態２の照明制御システムの概略構成図である。図６Ｂは実施形態２の照明制御システムに用いられるコントローラの概略ブロック図である。図６Ｃは実施形態２の照明制御システムに用いられる端末装置の概略ブロック図である。
【発明を実施するための形態】
【００１５】
以下の実施形態は、照明システムの制御方法、プログラム、及び照明制御システムに関し、特に照明システムの調光状態と移行状態とをスケジュールに応じて切り替える照明システムの制御方法、プログラム、及び照明制御システムに関する。
【００１６】
本実施形態の照明制御システム１０は、図１Ａ及び図１Ｂに示すように、再現部２０（再生モード管理部１２、スケジュール判定部１３、及び計時部１７）を備えている。再現部２０は、複数のシーンと少なくとも１つのフェードとをスケジュールに応じて切り替える照明制御を再現する。複数のシーンでは、照明システムに含まれる１乃至複数の照明器具２１，２２，…，２ｍ（ｍは整数）を予め設定された調光率で点灯させる。少なくとも１つのフェードでは、複数のシーンのうち時系列で隣り合う２つのシーン間をつなぎ、１乃至複数の照明器具２１，２２，…，２ｍの調光率を変化させる。再現部２０は、少なくとも１つのフェードの再現速度が複数のシーンの再現速度よりも遅くなるように、少なくとも１つのフェードの再現速度と複数のシーンの再現速度との少なくとも一方を制御するように構成されている。
【００１７】
また、本実施形態の照明システムの制御方法は、再現ステップを備えている。再現ステップでは、複数のシーンと少なくとも１つのフェードとをスケジュールに応じて切り替える照明制御を再現する。再現ステップでは、少なくとも１つのフェードの再現速度が複数のシーンの再現速度よりも遅くなるように、少なくとも１つのフェードの再現速度と複数のシーンの再現速度との少なくとも一方を制御している。
【００１８】
さらに、本実施形態のプログラムは、上記の照明システムの制御方法をコンピュータに実行させる。
【００１９】
（実施形態１）
以下、実施形態１の照明システムの制御方法、プログラム、及び照明制御システム１０について図１Ａ〜図５Ｂを参照して説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００２０】
本実施形態の照明制御システム１０は、図１Ａに示すように、コントローラ１と、複数の照明器具２１，２２，…，２ｍ（ｍは整数）とを備えている。複数の照明器具２１，２２，…，２ｍは、図２に示すように、例えば複数の車両５が展示されているショールームなどの店舗に設置されている。これらの照明器具２１，２２，…，２ｍは、伝送線Ｌ１を介してコントローラ１に電気的に接続されている。なお、以下の説明において、照明器具２１，２２，…，２ｍを区別する必要がない場合には照明器具２と表記する。
【００２１】
本実施形態の照明制御システム１０は、複数の照明器具２を予め設定された調光率で点灯させる複数のシーンと、時系列で隣り合う２つのシーン間をつなぎ複数の照明器具２の調光率を変化させるフェードとを、スケジュールに応じて切り替える照明制御を実行する。また、本実施形態の照明制御システム１０は、予め設定された時間で照明制御を実行する通常モードと、通常モードの進行速度よりも速い再現速度で照明制御を再現する再現モードとを有している。なお、通常モード及び再現モードの詳細については後述する。
【００２２】
各照明器具２は、互いに色温度が異なる複数種類の発光ダイオード（ＬＥＤ）（発光素子が同じ種類で蛍光体等の波長変換部材により色温度が異なる場合を含む）を有し、各発光ダイオードからの光を混色させた混色光を外部に照射する。そのため、各照明器具２は、コントローラ１から送信される制御信号（調光信号）に応じて各発光ダイオードの調光率を変化させることで、混色光の明るさを変化させたり、色温度を変化させたりすることができる。また、各照明器具２には固有のアドレス（本実施形態では１〜ｍ）が割り付けられている。そのため、コントローラ１は、上記アドレスによって各照明器具２を識別することができる。
【００２３】
コントローラ１は、図１Ｂに示すように、操作部１１と、再生モード管理部１２と、スケジュール判定部１３と、制御部１４と、記憶部１５と、表示部１６と、計時部１７とを備えている。
【００２４】
操作部１１は、図３に示すように、ディスプレイ１６０に表示された複数の操作ボタン１１０を有している。本実施形態では、操作ボタン１１０として、再生ボタン１１１と、停止ボタン１１２と、フェード再生ボタン１１３と、設定変更ボタン１１４とがディスプレイ１６０に表示されている。操作部１１は、複数の操作ボタン１１０のいずれかがユーザによって操作されると、操作された操作ボタン１１０に対応した操作信号を再生モード管理部１２へ出力する。
【００２５】
再生モード管理部１２は、照明制御システム１０の動作モードが通常モードと再現モードとのどちらであるかに応じて計時部１７を制御する。再生モード管理部１２は、照明制御システム１０の動作モードが通常モードである場合、計時部１７が実際の経過時間を計時するように計時部１７を制御する。また、再生モード管理部１２は、照明制御システム１０の動作モードが再現モードである場合、計時部１７が実際の経過時間を倍速で計時するように計時部１７を制御する。計時部１７は、スケジュール判定部１３に対して時刻情報を出力する。
【００２６】
スケジュール判定部１３は、計時部１７から入力される時刻情報と、記憶部１５に予め登録されているスケジュール情報（後述する）とに基づいて、制御部１４への指令信号Ｓ１を生成する。指令信号Ｓ１には、対象となる照明器具２のアドレスと制御情報とが少なくとも含まれている。制御情報としては、照明器具２の点灯／消灯の区別や、照明器具２を点灯させる場合には混色光の調光率、調色値などがある。ここに、本実施形態では、再生モード管理部１２と、スケジュール判定部１３と、計時部１７とで再現部２０が構成されている。すなわち、本実施形態の照明制御システム１０は、再現部２０を備えている。そして、再現部２０によって再現モードを実行する工程が再現ステップである。なお、再現ステップの詳細については後述する。
【００２７】
制御部１４は、スケジュール判定部１３から入力された指令信号Ｓ１に基づいて制御信号Ｓ２を生成し、伝送線Ｌ１を介して各照明器具２へ制御信号Ｓ２を送信する。制御信号Ｓ２には、対象となる照明器具２のアドレスと上記制御情報とが含まれている。そして、各照明器具２は、制御部１４からの制御信号Ｓ２に含まれるアドレスが自己のアドレスと一致する場合には、制御信号Ｓ２に含まれる制御情報を取得し、制御情報に従って各発光ダイオードを点灯／消灯させる。一方、各照明器具２は、制御部１４からの制御信号Ｓ２に含まれるアドレスが自己のアドレスと異なる場合には、制御信号Ｓ２を破棄する。ここに、本実施形態の照明システムには、上述した複数の照明器具２１，２２，…，２ｍが含まれている。
【００２８】
記憶部１５は、例えばＲＯＭ（Read Only Memory）やフラッシュメモリなどの不揮発性メモリである。記憶部１５には、照明制御のスケジュール情報や、コンピュータを再生モード管理部１２、スケジュール判定部１３、及び制御部１４として機能させるためのプログラムなどが記憶されている。すなわち、記憶部１５には、再現ステップを実行するためのプログラムが記憶されている。
【００２９】
表示部１６は、ディスプレイ１６０を有している。ディスプレイ１６０には、図２に示すように、複数の照明器具２からの光が照射される照明領域６のリアルタイムの画像を表示させることができる。この画像は、コントローラ１に設けられたカメラによって撮像された画像であるのが好ましいが、例えば室内に設置されたカメラによって撮像された画像であってもよい。また、ディスプレイ１６０には、図３に示すように、照明領域６の画像とともに、操作部１１を構成する複数の操作ボタン１１０と、ショールームに設定されている現在のシーン（フェードを含む）の設定情報１６１と、時刻情報１６２とを表示させることもできる。図４Ａは、ディスプレイ１６０に表示させる画像３７の構造を示す概略図である。画像３７は、撮像画像３７１と、静的画像３７２と、動的画像３７３とで構成されている。撮像画像３７１は、カメラによってリアルタイムに撮像された画像である。静的画像３７２は、時間が経過しても変化しない操作ボタン１１０である。動的画像３７３は、時間の経過によって変化する設定情報１６１や時刻情報１６２である。図４Ａに示す例では、撮像画像３７１に対して静的画像３７２を重ね、さらに静的画像３７２に対して動的画像３７３を重ねている。これら３枚の撮像画像３７１、静的画像３７２、及び動的画像３７３を重ね合わせることで、図３に示すような画像３７が生成される。
【００３０】
また、ディスプレイ１６０に表示させる画像は、記憶部１５に記憶させた過去の画像であってもよい。この場合、ディスプレイ１６０に表示させた過去の画像に対して、この画像に関連する設定情報１６１などを合わせて表示するのが好ましい。図４Ｂは、ディスプレイ１６０に表示させる別の画像３８の構造を示す概略図である。画像３８は、撮像画像３８１と、静的画像３８２と、動的画像３８３とで構成されている。撮像画像３８１は、記憶部１５に記憶させてある過去に撮像された画像である。この撮像画像３８１に対して静的画像３８２や動的画像３８３を重ね合わせることで、画像３８が生成される。
【００３１】
ここに、本実施形態では、カメラによって照明領域６を撮像する工程が撮像ステップである。また、本実施形態では、撮像ステップで撮像された画像を表示部１６（表示装置）に表示させる工程が表示ステップである。さらに、本実施形態では、撮像ステップで撮像された画像に対して、この画像に関連するシーン（フェードを含む）の設定情報１６１を関連付けて表示する工程が関連付けステップである。
【００３２】
本実施形態では、表示部１６に表示されている設定変更ボタン１１４（図３参照）を操作することで、照明制御のスケジュールを設定することができる。また、本実施形態では、設定変更ボタン１１４を操作することで、照明制御システム１０の動作モードを、設定モードと通常モードと再現モードとの間で切り替えることができる。
【００３３】
【表１】
2017111877.tif 000003
【００３４】
【表２】
2017111877.tif 000004
【００３５】
【表３】
2017111877.tif 000005
【００３６】
表１は、実行する日時（曜日及び時刻）と実行するシーンとの関係を示すタイムテーブルである。言い換えれば、表１は照明制御のスケジュールを表している。また、表２，３は、シーン番号と各照明器具２の制御内容との関係を示す制御テーブルである。これらのテーブルは、コントローラ１の記憶部１５に登録されている。なお、シーン３，４に対応する制御テーブルについては省略しているが、シーン１，２の制御テーブルと同様に記憶部１５に登録されている。すなわち、記憶部１５には、実行されるシーン数と同じ数の制御テーブルが登録されている。
【００３７】
シーン１の場合、表２に示すように、フェードは設定されておらず、シーン１の開始時刻になった時点で、照明器具２１が調光率５０％、調色値３５００Ｋで点灯し、照明器具２２が調光率７０％、調色値３５００Ｋで点灯する。また、照明器具２ｍは消灯する。
【００３８】
シーン２の場合、表３に示すように、１０分間のフェードが実行される。例えばシーン１からシーン２に移行する場合には、照明器具２１の調光率が５０％から８０％に変化し、調色値が３５００Ｋから４０００Ｋに変化する。また、照明器具２２の調光率が７０％から１００％に変化し、調色値が３５００Ｋから４５００Ｋに変化する。そして、１０分間のフェード後は、照明器具２１が調光率８０％、調色値４０００Ｋで点灯し、照明器具２２が調光率１００％、調色値４５００Ｋで点灯する。また、照明器具２ｍは、１０分間のフェード時間をかけて調光率が５０％、調色値が４０００Ｋまで変化し、その後調光率５０％、調色値４０００Ｋで点灯する。
【００３９】
なお、照明器具２１，２２，２ｍを除く残りの照明器具２については、対応する制御テーブルにおいて点灯／消灯の区別が点灯に設定されている場合には設定された調光率、調色値で点灯し、点灯／消灯の区別が消灯に設定されている場合には消灯する。また、フェードが設定されている場合には、設定された時間をかけてフェードを実行する。
【００４０】
次に、スケジュールを設定する手順について説明する。表示部１６のディスプレイ１６０に表示されている設定変更ボタン１１４をユーザが操作すると、コントローラ１の動作モードが設定モードになり、表示部１６の表示が設定画面に切り替わる。その後、ユーザは、設定画面の表示に従ってスケジュールを設定する。本実施形態では、表１に示すように、例えば月曜日から日曜日において００時００分になると全ての照明器具２１，２２，…，２ｍを消灯させるシーンｘを実行するように設定する。また、月曜日から日曜日において１０時００分になるとシーン１を実行するように設定する。さらに、月曜日から金曜日において１２時００分になるとシーン２を実行するように設定する。また、金曜日、土曜日及び日曜日において１３時００分になるとシーン３を実行するように設定する。さらに、月曜日から日曜日において１７時００分になるとシーン４を実行するように設定する。
【００４１】
本実施形態の照明制御システム１０は、上述の手順により設定されたスケジュールに従って照明制御を実行する。図５Ａは、本実施形態の照明制御システム１０における通常モードのタイムチャートである。また、図５Ｂは、本実施形態の照明制御システム１０における再現モードのタイムチャートである。以下、照明制御システム１０の通常モードについて図５Ａ及び表１〜３を参照して説明する。なお、以下では、金曜日を例に説明するが、他の曜日についても同様の処理を行うことで照明制御を実行することができる。また、以下では、照明器具２１，２２，２ｍを除いた残りの照明器具２については説明を省略するが、照明器具２１，２２，２ｍと同様の処理を行うことで点灯又は消灯することになる。
【００４２】
コントローラ１のスケジュール判定部１３は、計時部１７から入力される現在時刻が００時００分になると、タイムテーブル（表１）からシーンｘを選択する。シーンｘを選択したスケジュール判定部１３は、全ての照明器具２１，２２，…，２ｍを消灯させる指令信号Ｓ１を制御部１４へ出力する。制御部１４は、スケジュール判定部１３から入力された指令信号Ｓ１に従って全ての照明器具２１，２２，…，２ｍに対して消灯を指示する制御信号Ｓ２を出力する。その結果、全ての照明器具２１，２２，…，２ｍが消灯する。ここに、図５Ａの００時００分から１０時００分までの期間Ｔ１がシーンｘの実行期間である。
【００４３】
スケジュール判定部１３は、現在時刻が１０時００分になると、タイムテーブルからシーン１を選択し、シーン１に対応した指令信号Ｓ１を制御部１４へ出力する。本実施形態では、スケジュール判定部１３は、調光率５０％、調色値３５００Ｋで照明器具２１を点灯させ、調光率７０％、調色値３５００Ｋで照明器具２２を点灯させ、照明器具２ｍを消灯させる指令信号Ｓ１を制御部１４に出力する。制御部１４は、スケジュール判定部１３から入力された指令信号Ｓ１に従って各照明器具２に制御信号Ｓ２を出力する。その結果、照明器具２１が調光率５０％、調色値３５００Ｋで点灯し、照明器具２２が調光率７０％、調色値３５００Ｋで点灯する。なお、照明器具２ｍは消灯したままである。ここに、図５Ａの１０時００分から１２時００分までの期間Ｔ２がシーン１の実行期間である。
【００４４】
スケジュール判定部１３は、現在時刻が１２時００分になると、タイムテーブルからシーン２を選択し、シーン２に対応した指令信号Ｓ１を制御部１４へ出力する。本実施形態では、スケジュール判定部１３は、１２時００分から１２時１０分までの１０分間で照明器具２１の調光率が５０％から８０％に変化し、調色値が３５００Ｋから４０００Ｋに変化するようにフェードを行う指令信号Ｓ１を制御部１４へ出力する。また、スケジュール判定部１３は、１２時００分から１２時１０分までの１０分間で照明器具２２の調光率が７０％から１００％に変化し、調色値が３５００Ｋから４５００Ｋに変化するようにフェードを行う指令信号Ｓ１を制御部１４へ出力する。さらに、スケジュール判定部１３は、１２時００分から１２時１０分までの１０分間で照明器具２ｍの調光率が５０％、調色値が４０００Ｋまで変化するようにフェードを行う指令信号Ｓ１を制御部１４へ出力する。制御部１４は、スケジュール判定部１３から入力された指令信号Ｓ１に従って各照明器具２に制御信号Ｓ２を出力する。その結果、照明器具２１，２２，２ｍがそれぞれフェードを実行する。
【００４５】
また、スケジュール判定部１３は、１２時１０分以降においては、各照明器具２がそれぞれ設定された調光率、調色値で点灯するように指示信号Ｓ１を制御部１４に出力する。本実施形態では、スケジュール判定部１３は、照明器具２１に対して調光率８０％、調色値４０００Ｋの指示信号Ｓ１を出力し、照明器具２２に対して調光率１００％、調色値４５００Ｋの指示信号Ｓ１を出力する。また、本実施形態では、スケジュール判定部１３は、照明器具２ｍに対して調光率５０％、調色値４０００Ｋの指示信号Ｓ１を出力する。その結果、照明器具２１が調光率８０％、調光値４０００Ｋで点灯し、照明器具２２が調光率１００％、調色値４５００Ｋで点灯し、照明器具２ｍが調光率５０％、調色値４０００Ｋで点灯する。ここに、図５Ａの１２時００分から１２時１０分までの期間Ｔ３がフェード期間であり、１２時１０分から１３時００分までの期間Ｔ４がシーン２の実行期間である。
【００４６】
スケジュール判定部１３は、現在時刻が１３時００分になると、タイムテーブルからシーン３を選択し、シーン３に対応した指令信号Ｓ１を制御部１４へ出力する。本実施形態では、スケジュール判定部１３は、１３時００分から１３時１５分までの１５分間でフェードを行う指令信号Ｓ１を制御部１４へ出力する。制御部１４は、スケジュール判定部１３から入力された指令信号Ｓ１に従って各照明器具２に制御信号Ｓ２を出力する。その結果、照明器具２１，２２，…，２ｍのうち点灯／消灯の区別が点灯に設定されている照明器具２がフェードを実行する。また、照明器具２１，２２，…，２ｍのうち点灯／消灯の区別が点灯に設定されている照明器具２は、１３時１５分以降において、設定された調光率、調色値で点灯する。さらに、照明器具２１，２２，…，２ｍのうち点灯／消灯の区別が消灯に設定されている照明器具２は消灯する。ここに、図５Ａの１３時００分から１３時１５分までの期間Ｔ５がフェード期間であり、１３時１５分から１７時００分までの期間Ｔ６がシーン３の実行期間である。
【００４７】
スケジュール判定部１３は、現在時刻が１７時００分になると、タイムテーブルからシーン４を選択し、シーン４に対応した指令信号Ｓ１を制御部１４へ出力する。そして、照明器具２１，２２，…，２ｍは、シーン４の制御テーブルにおいて点灯／消灯の区別が点灯に設定されている場合には設定された調光率、調色値で点灯し、点灯／消灯の区別が消灯に設定されている場合には消灯する。ここに、図５Ａの１７時００分以降の期間Ｔ７がシーン４の実行期間である。
【００４８】
ところで、上述の設定モードにより設定したスケジュールを通常モードで再生させた場合、図５Ａに示す例では１７時間以上かかってしまう。そこで、本実施形態では、スケジュールの確認に時間がかからないように、再現モードにおけるシーンの再現速度を通常モードにおけるシーンの進行速度よりも速くしている（図５Ｂの期間Ｔ１，Ｔ２，Ｔ４，Ｔ６，Ｔ７参照）。ただし、調光率、調色値が変化するフェードの再現速度を速くすると、混色光の明るさや色温度の変化が分かりにくくなる可能性がある。そのため、本実施形態では、フェードの再現速度については通常モードにおけるフェードの進行速度と同じ速度に設定している（図５Ｂの期間Ｔ３，Ｔ５参照）。すなわち、本実施形態では、フェードの再現速度がシーンの再現速度よりも遅くなるように、シーンの再現速度のみを速くしている。なお、照明制御システム１０の動作モードを通常モードから再現モードに切り替える際には、操作部１１の設定変更ボタン１１４を操作する。
【００４９】
【表４】
2017111877.tif 000006
【００５０】
表４は、照明制御を再現モードで実行する場合のタイムテーブルを示している。なお、本実施形態では、１時間を１分と仮定しているため、計時部１７は、実際の経過時間を６０倍の速度で計時することになる。以下、再現部２０の動作（再現ステップ）について説明する。なお、制御部１４及び各照明器具２の動作については通常モードと同様であるため、ここでは説明を省略する。
【００５１】
再現部２０のスケジュール判定部１３は、計時部１７から入力される現在時刻が００時００分になると、記憶部１５に登録されているタイムテーブルからシーンｘを選択する。シーンｘを選択したスケジュール判定部１３は、全ての照明器具２１，２２，…，２ｍを消灯させる指令信号Ｓ１を制御部１４へ出力する。ここで、本実施形態では１時間を１分と仮定しており、通常モードにおけるシーンｘの実行時間は１０時間であるため、再現モードにおけるシーンｘの再現時間は１０分となる（図５Ｂの期間Ｔ１）。
【００５２】
スケジュール判定部１３は、現在時刻が００時１０分（通常モードでは１０時００分）になると、タイムテーブルからシーン１を選択し、シーン１に対応した指令信号Ｓ１を制御部１４へ出力する。ここで、通常モードにおけるシーン１の実行時間は２時間であるため、再現モードにおけるシーン１の再現時間は２分となる（図５Ｂの期間Ｔ２）。
【００５３】
スケジュール判定部１３は、現在時刻が００時１２分（通常モードでは１２時００分）になると、タイムテーブルからシーン２を選択し、シーン２に対応した指令信号Ｓ１を制御部１４へ出力する。ここで、シーン２では１０分間のフェードが行われるが、フェードの再現時間は通常モードにおけるフェード時間と同じ１０分である（図５Ｂの期間Ｔ３）。その後、スケジュール判定部１３は、通常モードにおけるシーン２の実行時間である１時間からフェードの１０分を引いた５０分に相当する再現時間５０秒の間、フェード後の調光率、調色値で照明器具２１，２２，…，２ｍを点灯させる指示信号Ｓ１を出力する。ここで、通常モードにおけるシーン２の実行時間は１時間であるが、フェードの再現時間は通常モードにおけるフェード時間と同じであるため、シーン２の再現時間は１０分５０秒となる（図５Ｂの期間Ｔ３＋Ｔ４）。
【００５４】
スケジュール判定部１３は、現在時刻が００時２２分５０秒（通常モードでは１３時００分）になると、タイムテーブルからシーン３を選択し、シーン３に対応した指令信号Ｓ１を制御部１４へ出力する。シーン３では１５分間のフェードが行われ、通常モードにおけるシーン３の実行時間である４時間から１５分を引いた３時間４５分に相当する再現時間３分４５秒の間、フェード後の調光率、調色値で照明器具２１，２２，…，２ｍを点灯させる。ここで、通常モードにおけるシーン３の実行時間は４時間であるが、フェードの再現時間は通常モードにおけるフェード時間と同じであるため、シーン３の再現時間は１８分４５秒となる（図５Ｂの期間Ｔ５＋Ｔ６）。
【００５５】
スケジュール判定部１３は、現在時刻が００：４１分３５秒（通常モードでは１７時００分）になると、タイムテーブルからシーン４を選択し、シーン４に対応した指令信号Ｓ１を制御部１４へ出力する。
【００５６】
本実施形態の照明制御システム１０では、上述のように、照明制御を通常モードで実行した場合には、シーン４の開始時刻までで１７時間かかってしまう。これに対して、照明制御を再現モードで実行した場合には、シーン４の開始時刻までで４１分３５秒しかかからない。しかも、再現モードでは、フェードの再現速度を通常モードにおけるフェードの進行速度と同じ速度にしているため、フェードの変化を十分確認することができる。このように、本実施形態の照明制御システム１０によれば、スケジュールの確認に時間をかけることなくフェードの変化を十分確認することができる。
【００５７】
（実施形態２）
実施形態２の照明システムの制御方法、プログラム、及び照明制御システム１０について図６Ａ〜図６Ｃを参照して説明する。上述の実施形態１では、コントローラ１に再現部２０が設けられているが、本実施形態では、コントローラ１と別体に設けられた端末装置３に再現部３０が設けられている。なお、実施形態１と同様の構成については、同一の符号を付して詳細な説明を省略する。また、以下の説明において、実施形態１で説明した図面及び表を参照する必要がある場合には、適宜参照する。
【００５８】
本実施形態の照明制御システム１０は、図６Ａに示すように、コントローラ１と、複数の照明器具２１，２２，…，２ｍ（ｍは整数）と、端末装置３と、ルータ４とを備えている。なお、本実施形態においても、照明器具２１，２２，…，２ｍを区別する必要がない場合には照明器具２と表記する。
【００５９】
コントローラ１は、図６Ｂに示すように、操作部１１と、再生モード管理部１２と、スケジュール判定部１３と、制御部１４と、記憶部１５と、表示部１６と、計時部１７と、外部入力部１８とを備えている。なお、本実施形態では、表示部１６が省略されていてもよい。また、本実施形態において、端末装置３のみで照明制御を行う場合には、操作部１１が省略されていてもよい。
【００６０】
外部入力部１８は、ルータ４に電気的に接続されており、ルータ４を介して端末装置３から送信される指令信号Ｓ３（後述する）が入力される。外部入力部１８は、さらに、再生モード管理部１２と制御部１４とに電気的に接続されており、端末装置３からの指令信号Ｓ３を制御部１４へ直接出力する。また、外部入力部１８は、端末装置３からの指令信号Ｓ３を受信すると、再生モード管理部１２に対して停止信号を出力する。再生モード管理部１２は、外部入力部１８から停止信号を受け取ると、計時部１７を停止させ、これによりスケジュール判定部１３も停止する。
【００６１】
端末装置３は、例えばスマートフォンやタブレットなどである。端末装置３は、図６Ｃに示すように、ＣＰＵ３１と、映像撮像部３２と、無線通信部３３と、ＲＴＣ（リアルタイムクロック）３４と、記憶部３５と、表示部３６とを備えている。
【００６２】
ＣＰＵ（Central Processing Unit）３１は、コントローラ１の再生モード管理部１２及びスケジュール判定部１３の代わりに再現部３０として機能する。また、ＣＰＵ３１は、映像撮像部３２を制御して照明領域６を撮像させたり、表示部３６を制御して画像（図２及び図３参照）を表示させたりする機能も有している。さらに、ＣＰＵ３１は、記憶部３５に情報を記憶させたり、記憶部３５から情報を読み出したりする機能も有している。
【００６３】
映像撮像部３２は、例えばＣＭＯＳカメラであり、ＣＰＵ３１からの制御信号に従って画像（映像）を撮像し、撮像した画像をリアルタイムでＣＰＵ３１へ出力する。
【００６４】
無線通信部３３は、コントローラ１に電気的に接続されたルータ４との間で、例えば３Ｇ回線を利用した無線通信を行う。
【００６５】
記憶部３５は、端末装置３に内蔵されたＲＯＭ（Read Only Memory）やＲＡＭ（Random Access Memory）である。記憶部３５には、照明制御のスケジュールや、ＣＰＵ３１を再現部３０として機能させるためのプログラムなどが記憶されている。また、記憶部３５には、映像撮像部３２で撮像された画像を記憶させてもよい。
【００６６】
表示部３６は、例えばスマートフォンやタブレットに設けられたタッチパネルであり、映像撮像部３２で撮像された画像を表示させることができる（図２参照）。また、表示部３６には、上記画像と重なるようにして、複数の操作ボタンと、設定情報と、時刻情報とを表示させることもできる（図３参照）。そして、表示部３６は、複数の操作ボタンのいずれかがユーザに操作されると、操作された操作ボタンに対応する操作信号をＣＰＵ３１に出力する。すなわち、本実施形態の表示部３６は、操作機能も有している。
【００６７】
次に、本実施形態の照明制御システム１０の通常モードについて説明する。なお、以下では、金曜日を例に説明するが、他の曜日についても同様の処理を行うことで照明制御を実行することができる。また、以下では、照明器具２１，２２，２ｍを除いた残りの照明器具２については説明を省略するが、照明器具２１，２２，２ｍと同様の処理を行うことで点灯又は消灯することになる。
【００６８】
端末装置３のＣＰＵ３１は、ＲＴＣ３４から送られてくる時刻情報に基づいて、現在時刻が００時００分であると判断すると、タイムテーブル（表１）からシーンｘを選択する。シーンｘを選択したＣＰＵ３１は、全ての照明器具２１，２２，…，２ｍを消灯させる指令信号Ｓ３を無線通信部３３及びルータ４を介してコントローラ１に送信する。コントローラ１では、端末装置３からの指令信号Ｓ３を外部入力部１８が受信すると、外部入力部１８が再生モード管理部１２に停止信号を出力する。再生モード管理部１２は、停止信号を受け取ると、計時部１７を停止させ、これによりスケジュール判定部１３も停止する。また、外部入力部１８は、端末装置３から受け取った指令信号Ｓ３を制御部１４に出力する。制御部１４は、指令信号Ｓ３に基づいて制御信号Ｓ４を生成し、生成した制御信号Ｓ４を各照明器具２に出力する。各照明器具２は、制御部１４からの制御信号Ｓ４に従って消灯する。
【００６９】
ＣＰＵ３１は、現在時刻が１０時００分になると、タイムテーブルからシーン１を選択し、シーン１に対応した指令信号Ｓ３を出力する。外部入力部１８は、ＣＰＵ３１からの指令信号Ｓ３を受信すると、受信した指令信号Ｓ３を制御部１４に出力する。制御部１４は、指令信号Ｓ３に基づいて制御信号Ｓ４を生成し、生成した制御信号Ｓ４を各照明器具２に出力する。各照明器具２は、制御部１４からの制御信号Ｓ４に従って点灯又は消灯する。シーン１では、照明器具２１が調光率５０％、調色値３５００Ｋで点灯し、照明器具２２が調光率７０％、調色値３５００Ｋで点灯する。また、照明器具２ｍは消灯したままである。
【００７０】
ＣＰＵ３１は、現在時刻が１２時００分になると、タイムテーブルからシーン２を選択し、シーン２に対応した指令信号Ｓ３を出力する。外部入力部１８は、ＣＰＵ３１からの指令信号Ｓ３を受信すると、受信した指令信号Ｓ３を制御部１４に出力する。制御部１４は、指令信号Ｓ３に基づいて制御信号Ｓ４を生成し、生成した制御信号Ｓ４を各照明器具２に出力する。各照明器具２は、制御部１４からの制御信号Ｓ４に従って点灯又は消灯する。シーン２では、１０分間のフェードを実行した後、照明器具２１が調光率８０％、調色値４０００Ｋで点灯し、照明器具２２が調光率１００％、調色値４５００Ｋで点灯する。また、照明器具２ｍは、調光率５０％、調色値４０００Ｋで点灯する。
【００７１】
ＣＰＵ３１は、現在時刻が１３時００分になると、タイムテーブルからシーン３を選択し、シーン３に対応した指令信号Ｓ３を出力する。外部入力部１８は、ＣＰＵ３１からの指令信号Ｓ３を受信すると、受信した指令信号Ｓ３を制御部１４に出力する。制御部１４は、指令信号Ｓ３に基づいて制御信号Ｓ４を生成し、生成した制御信号Ｓ４を各照明器具２に出力する。各照明器具２は、制御部１４からの制御信号Ｓ４に従って点灯又は消灯する。シーン３では、照明器具２１，２２，…，２ｍのうち点灯／消灯の区別が点灯に設定されている照明器具２は、１５分間のフェードを実行した後、設定された調光率、調色値で点灯する。また、照明器具２１，２２，…，２ｍのうち点灯／消灯の区別が消灯に設定されている照明器具２は消灯する。
【００７２】
ＣＰＵ３１は、現在時刻が１７時００分になると、タイムテーブルからシーン４を選択し、シーン４に対応した指令信号Ｓ３を出力する。外部入力部１８は、ＣＰＵ３１からの指令信号Ｓ３を受信すると、受信した指令信号Ｓ３を制御部１４に出力する。制御部１４は、指令信号Ｓ３に基づいて制御信号Ｓ４を生成し、生成した制御信号Ｓ４を各照明器具２に出力する。各照明器具２は、制御部１４からの制御信号Ｓ４に従って点灯又は消灯する。シーン４では、照明器具２１，２２，…，２ｍのうち点灯／消灯の区別が点灯に設定されている照明器具２は、設定された調光率、調色値で点灯する。また、照明器具２１，２２，…，２ｍのうち点灯／消灯の区別が消灯に設定されている照明器具２は消灯する。
【００７３】
ところで、本実施形態の照明制御システム１０においても、再現モードにおけるシーンの再現速度を通常モードにおけるシーンの進行速度よりも速くすることができる。ここで、上述の実施形態１では、計時部１７が実際の経過時間を倍速で計時することで、再現モードにおけるシーンの再現速度を通常モードにおけるシーンの進行速度よりも速くしている。これに対して、本実施形態では、ＲＴＣ３４からは実際の経過時間しか送られてこないので、ＣＰＵ３１が、実際の照明制御における実行時間を短縮させた再現時間を設定し、設定した再現時間に基づいて照明制御を行うことになる。これにより、再現モードにおけるシーンの再現速度を通常モードにおけるシーンの進行速度よりも速くすることができる。これにより、照明制御のスケジュールの確認に要する時間を短くすることができる。また、再現モードにおけるフェードの再現速度については通常モードにおけるフェードの進行速度と同じ速度にすることで、フェードの変化を十分確認することもできる。すなわち、本実施形態の照明制御システム１０によれば、スケジュールの確認に時間をかけることなくフェードの変化を十分確認することができる。なお、再現モードにおける照明制御システム１０の動作については実施形態１と同様であり、ここでは説明を省略する。ここに、本実施形態では、再現部３０によって再現モードを実行する工程が再現ステップである。
【００７４】
以上説明したように、上述の実施形態の照明システムの制御方法は、再現ステップを備えている。再現ステップでは、少なくとも１つのフェードの再現速度が複数のシーンの再現速度よりも遅くなるように、少なくとも１つのフェードの再現速度と複数のシーンの再現速度との少なくとも一方を制御している。この構成によれば、フェードの再現速度をシーンの再現速度よりも遅くすることで、スケジュールの確認に時間をかけることなくフェードの変化を十分確認することができる。
【００７５】
また、上述の実施形態の照明システムの制御方法は、再現ステップを備えている。再現ステップでは、複数のシーンと少なくとも１つのフェードとをスケジュールに応じて切り替える照明制御を再現する。複数のシーンでは、照明システムに含まれる１乃至複数の照明器具２を予め設定された調光率および調色値で点灯させる。少なくとも１つのフェードは、複数のシーンのうち時系列で隣り合う２つのシーン間をつなぎ、調光率および調色値のうち少なくとも一方を変化させる。再現ステップでは、少なくとも１つのフェードの再現速度が複数のシーンの再現速度よりも遅くなるように、少なくとも１つのフェードの再現速度と複数のシーンの再現速度との少なくとも一方を制御している。この構成によれば、フェードの再現速度をシーンの再現速度よりも遅くすることで、スケジュールの確認に時間をかけることなくフェードの変化を十分確認することができる。
【００７６】
また、上述の実施形態の照明システムの制御方法のように、再現ステップにおいて、複数のシーンの再現速度が、実際の照明制御（通常モード）における複数のシーンの進行速度よりも速くなっているのが好ましい。この構成によれば、シーンの再現速度が実際の照明制御におけるシーンの進行速度よりも速くなっているので、実際の照明制御に比べてスケジュールの確認に要する時間を短くすることができる。ただし、この構成は照明システムの制御方法の必須の構成ではなく、フェードの再現速度がシーンの再現速度よりも遅くなっていればシーンの再現速度が実際の照明制御におけるシーンの進行速度以下であってもよい。
【００７７】
また、上述の実施形態の照明システムの制御方法のように、再現ステップにおいて、少なくとも１つのフェードの再現速度が、実際の照明制御における少なくとも１つのフェードの進行速度以上であるのが好ましい。この構成によれば、シーンよりも再現速度が遅いフェードについても実際の照明制御におけるフェードの進行速度以上であるので、実際の照明制御に比べてスケジュールの確認に要する時間を短くすることができる。ただし、この構成は照明システムの制御方法の必須の構成ではなく、フェードの再現速度は実際の照明制御におけるフェードの進行速度より遅くてもよい。
【００７８】
また、上述の実施形態の照明システムの制御方法のように、再現ステップにおいて、少なくとも１つのフェードの再現速度が、実際の照明制御における少なくとも１つのフェードの進行速度よりも速くなっているのが好ましい。この構成によれば、シーンの再現速度だけでなく、フェードの再現速度も速くなっているので、実際の照明制御に比べてスケジュールの確認に要する時間をさらに短くすることができる。ただし、この構成は照明システムの制御方法の必須の構成ではなく、フェードの再現速度は実際の照明制御におけるフェードの進行速度以下であってもよい。
【００７９】
また、上述の実施形態の照明システムの制御方法のように、再現ステップにおいて、所定期間における複数のシーン及び少なくとも１つのフェードを再現するのに要する時間が、所定期間における実際の照明制御に要する時間よりも短くなっているのが好ましい。この構成によれば、スケジュール全体の再現時間が短くなっているので、実際の照明制御に比べてスケジュールの確認に要する時間を短くすることができる。ただし、この構成は照明システムの制御方法の必須の構成ではなく、フェードの再現速度がシーンの再現速度より遅くなっていれば所定期間におけるシーン及びフェードを再現するのに要する時間が所定期間における実際の照明制御に要する時間以上であってもよい。
【００８０】
また、上述の実施形態の照明システムの制御方法のように、再現ステップにおいて１乃至複数の照明器具２１，２２，…，２ｍからの光が照射される照明領域６の画像を撮像する撮像ステップをさらに備えているのが好ましい。この構成によれば、撮像ステップで撮像された画像を見ることで、その場にいなくても照明制御の状態を知ることができる。ただし、この構成は照明システムの制御方法の必須の構成ではなく、撮像ステップは省略されてもよい。
【００８１】
また、上述の実施形態の照明システムの制御方法のように、撮像ステップで撮像された画像と、複数のシーンに関する制御情報、及び少なくとも１つのフェードに関する制御情報とを関連付ける関連付けステップをさらに備えているのが好ましい。この構成によれば、画像とともに表示された制御情報を見ることで、照明器具２の制御状態を知ることができる。ただし、この構成は照明システムの制御方法の必須の構成ではなく、関連付けステップは省略されてもよい。
【００８２】
また、上述の実施形態の照明システムの制御方法のように、撮像ステップで撮像された画像を表示装置（表示部１６，３６）に表示する表示ステップをさらに備えているのが好ましい。この構成によれば、表示ステップで表示装置に表示された画像を見ることで、その場にいなくても照明制御の状態を知ることができる。ただし、この構成は照明システムの制御方法の必須の構成ではなく、表示ステップは省略されてもよい。
【００８３】
上述の実施形態のプログラムは、上述の照明システムの制御方法をコンピュータに実現させる。この構成によれば、スケジュールの確認に時間をかけることなくフェードの変化を十分確認することができる。
【００８４】
上述の実施形態の照明制御システムでは、再現部２０を備えている。再現部２０は、少なくとも１つのフェードの再現速度が複数のシーンの再現速度よりも遅くなるように、少なくとも１つのフェードの再現速度と複数のシーンの再現速度との少なくとも一方を制御するように構成されている。この構成によれば、フェードの再現速度をシーンの再現速度よりも遅くすることで、スケジュールの確認に時間をかけることなくフェードの変化を十分確認することができる。
【００８５】
上述の実施形態の照明制御システムでは、再現部２０を備えている。再現部２０は、複数のシーンと少なくとも１つのフェードとをスケジュールに応じて切り替える照明制御を再現する。複数のシーンでは、照明システムに含まれる１乃至複数の照明器具２を予め設定された調光率および調色値で点灯させる。少なくとも１つのフェードは、複数のシーンのうち時系列で隣り合う２つのシーン間をつなぎ、調光率および調色値のうち少なくとも一方を変化させる。再現部２０は、少なくとも１つのフェードの再現速度が複数のシーンの再現速度よりも遅くなるように、少なくとも１つのフェードの再現速度と複数のシーンの再現速度との少なくとも一方を制御するように構成されている。この構成によれば、フェードの再現速度をシーンの再現速度よりも遅くすることで、スケジュールの確認に時間をかけることなくフェードの変化を十分確認することができる。
【００８６】
なお、上述の実施形態では、再現モードにおいてシーンの再現速度のみを速くしているが、混色光の明るさや色温度の変化を確認できるのであればフェードの再現速度を速くしてもよい。また、再現モードに要する時間が通常モードに要する時間よりも短くなっていれば、再現モードにおけるフェードの再現速度が通常モードにおけるフェードの進行速度より遅くてもよい。
【００８７】
さらに、上述の実施形態では、照明制御システム１０をショールームなどの店舗に設置しているが、照明制御システム１０を設置する場所は店舗に限らず、オフィスや住宅などであってもよい。また、上述の実施形態で説明した照明制御システム１０を舞台照明に適用してもよい。さらに、上述の実施形態では、照明器具２が複数である場合について説明したが、照明器具２は１つであってもよい。また、上述の実施形態のように、再現部２０が１つの装置（コントローラ１）に搭載されていてもよいし、複数の装置に分けて搭載されていてもよい。
【００８８】
さらに、上述の実施形態では、無線通信部３３が３Ｇ回線を利用した無線通信を行っているが、例えばＬＴＥ回線を利用した無線通信であってもよいし、ＷｉＦｉ（登録商標）やＢｌｕｅｔｏｏｔｈ（登録商標）を利用した無線通信であってもよい。また、上述の実施形態では、記憶部３５が端末装置３に内蔵されたＲＯＭやＲＡＭである場合について説明したが、例えばＳＤカードが記憶部３５であってもよい。
【００８９】
さらに、上述の実施形態では、カメラで撮像した画像に対して設定情報や操作ボタンなどの画像を重ねているが、例えば設定情報や操作ボタンなどを埋め込んだ画像であってもよい。また、上述の実施形態では、コントローラ１と端末装置３との通信を無線通信としているが、有線通信であってもよい。
【００９０】
さらに、上述の実施形態では、各シーンに対して、そのシーンに移行する際のフェード時間を設定しているが、フェード時間は、前後のシーンを考慮して別途設定してもよい。また、上述の実施形態では、シーンの開始時刻においてフェードを開始しているが、シーンの開始時刻にフェードを終了させてシーンを開始するように構成してもよい。さらに、上述の実施形態では、各シーンにおいて調光率および調色値の両方を変化させているが、調光率および調色値のうち少なくとも一方を変化させるように構成されていればよい。また、調光率のみを変化させるように構成されていてもよい。
【符号の説明】
【００９１】
１０  照明制御システム
１２  再生モード管理部（再現部）
１３  スケジュール判定部（再現部）
１７  計時部（再現部）
２０，３０  再現部
２１，２２，…，２ｍ  照明器具
３１  ＣＰＵ（再現部）
３４  ＲＴＣ（再現部）
【図１】
2017111877.tif 000007
【図２】
2017111877.tif 000008
【図３】
2017111877.tif 000009
【図４】
2017111877.tif 000010
【図５】
2017111877.tif 000011
【図６】
2017111877.tif 000012